(57)【特許請求の範囲】
【請求項１】
掘削機の操作を図るように配備される掘削機用のコンソールボックスにおいて、
運転席に連結されて配備されるとともに、板状に形成される固定部（１０）と、
前記固定部（１０）から離れた他側の上部に配備されるとともに、内側には収容可能な空間部が形成され、上部には掘削機の操作を図る操作レバー（１２）が配備され、下部の後方は固定部（１０）上において軸回転可能に結合されるコンソールケース（１４）と、
前記コンソールケース（１４）の内側に配備されるとともに、回転力を与えるように配備される安全レバーモーター（１６）と、
前記安全レバーモーター（１６）と連結されて回転力を伝達されるモーターギヤ（１８）と、
前記モーターギヤ（１８）と連結されて回転力を伝達され、他側には外側に延びるレバーばね固定具（２０）が形成される安全レバーギヤ（２２）と、
前記安全レバーギヤ（２２）のレバーばね固定具（２０）及びコンソールケース（１４）に両端がそれぞれ結合固定されて張力を与えるレバーばね（２４）と、
前記安全レバーギヤ（２２）と軸上に連結されて配備され、円筒状に形成されるとともに、外周縁には内側に凹むカム溝（２６）が形成される安全レバーカム（２８）と、
前記安全レバーカム（２８）の外周縁に離れて一対が配備され、それぞれは安全レバーカム（２８）のカム溝（２６）を感知するように配備される第１のセンサー（３０）及び第２のセンサー（３２）と、
前記安全レバーカム（２８）と連結されて回動するように配備され、一側に延びるとともに、円筒状に形成される安全レバー連結軸（３４）と、
前記コンソールケース（１４）から離れた一側に把持可能なバー状に形成されて配備され、一端が安全レバー連結軸（３４）と軸連結されて配備される安全レバー（３６）と、
前記固定部（１０）の上に回転力を与えるように配備されるとともに、コンソールモーターギヤ（３８）を有するコンソールモーター（４０）と、
前記コンソールケース（１４）の下部の後方に扇形に形成されて配備され、外周縁にコンソールモーターギヤ（３８）に対応するようにギヤ歯が形成され、コンソールモーター（４０）の回転力をコンソールモーターギヤ（３８）を介して伝達されてコンソールケース（１４）が回転するように配備されるコンソールギヤ（４２）と、
前記コンソールケース（１４）の一側の下部の後方に円筒状に形成されて配備されるとともに、円筒状のコンソール軸（４４）により内側がコンソールケース（１４）に軸連結され、外周縁には内側に凹むコンソールカム溝（４６）が形成されるコンソールカム（４８）と、
前記コンソールカム（４８）の上部及び下部にそれぞれ離れて配備され、それぞれはコンソールカム（４８）のコンソールカム溝（４６）を感知するように配備される第１のコンソールセンサー（５０）及び第２のコンソールセンサー（５２）と、
前記コンソールケース（１４）の上に配備され、掘削機の電源のオン／オフの有無を転送されるとともに、第１のセンサー（３０）、第２のセンサー（３２）、第１のコンソールセンサー（５０）及び第２のコンソールセンサー（５２）から信号を転送され、安全レバーモーター（１６）及びコンソールモーター（４０）を制御するように配備される制御部（５４）と、
を備えることを特徴とする掘削機用のコンソールボックス。
【請求項２】
掘削機の操作を図るように配備される掘削機用のコンソールボックスにおいて、
運転席に連結されて配備されるとともに、板状に形成され、一側には円筒状の係止棒（５６）が突設される固定部（１０）と、
前記固定部（１０）から離れた他側の上部に配備されるとともに、内側には収容可能な空間部が形成され、上部には掘削機の操作を図る操作レバー（１２）が配備され、下部の後方は固定部（１０）上において軸回転可能に結合されるコンソールケース（１４）と、
前記コンソールケース（１４）の内側に配備されるとともに、回転力を与えるように配備される安全レバーモーター（１６）と、
前記安全レバーモーター（１６）と連結されて回転力を伝達されるモーターギヤ（１８）と、
前記モーターギヤ（１８）と連結されて回転力を伝達され、他側には外側に延びるレバーばね固定具（２０）が形成される安全レバーギヤ（２２）と、
前記安全レバーギヤ（２２）のレバーばね固定具（２０）及びコンソールケース（１４）に両端がそれぞれ結合固定されて張力を与えるレバーばね（２４）と、
前記安全レバーギヤ（２２）と軸上に連結されて配備され、円筒状に形成されるとともに、外周縁には内側に凹むカム溝（２６）が形成される安全レバーカム（２８）と、
前記安全レバーカム（２８）の外周縁に離れて一対が配備され、それぞれは安全レバーカム（２８）のカム溝（２６）を感知するように配備される第１のセンサー（３０）及び第２のセンサー（３２）と、
前記安全レバーカム（２８）と連結されて回動するように配備され、一側に延びるとともに、円筒状に形成される安全レバー連結軸（３４）と、
前記コンソールケース（１４）から離れた一側に把持可能なバー状に形成されて配備され、一端が安全レバー連結軸（３４）と軸連結されて配備される安全レバー（３６）と、
前記コンソールケース（１４）の操作レバー（１２）の後方に突出して把持可能に配備され、下部がコンソールケース（１４）の上部を貫通して延びるとともに、コンソールケースに軸結合されるコンソールレバー（５８）と、
前記コンソールレバー（５８）が延びた下部に前方に延設されるコンソールレバーバー（６０）と、
前記コンソールレバーバー（６０）の前方に蝶合されるとともに、下部に延びてコンソールケース（１４）の下部を貫通し、コンソールケース（１４）の内側の上に外側に突出する連結バー（６２）が形成される連結軸（８４）と、
前記コンソールケース（１４）の内側の下部に配備されるとともに、上部に延びる板状のソレノイド支持台（６６）と、
前記ソレノイド支持台（６６）に結合されて配備され、上部には上下に摺動するとともに、上部が連結バー（６２）と結合されるソレノイドバー（６８）が配備されるソレノイド（７０）と、
前記連結バー（６２）の下部に板状に形成されて内側の前方の下部が連結軸（６４）の下部に蝶合される固定板（７２）と、
前記コンソールケース（１４）の下部に板状に形成された上部が連結されて配備されるとともに、下部に延び、内側の前方が固定板（７２）の内側の後方の上部に蝶結される据え置き板（７４）と、
前記固定板（７２）の後方に板状に形成されて配備され、前方には固定板（７２）の後方が係止されるように凹む係止溝（７６）が形成され、後方には上下に離れてそれぞれ後方に延びるとともに、離れた内側に係止棒（５６）が係止される凹溝（７８）を有する延在部（８０）が形成され、内側は据え置き板（７４）の内側の後方の下部に蝶合される係止具（８２）と、
前記固定部（１０）の一側の後方に下部が蝶合されるとともに、上部がコンソールケース（１４）を貫通して延びるとともに、コンソールケース（１４）の内側の後方に上部が結合されるコンソールシリンダー（８４）と、
前記コンソールケース（１４）の一側の下部の後方に円筒状に形成されて配備されるとともに、円筒状のコンソール軸（４４）により内側がコンソールケース（１４）に軸連結され、外周縁には内側に凹むコンソールカム溝（４６）が形成されるコンソールカム（４８）と、
前記コンソールカム（４８）の上部及び下部にそれぞれ離れて配備され、それぞれはコンソールカム（４８）のコンソールカム溝（４６）を感知するように配備される第１のコンソールセンサー（５０）及び第２のコンソールセンサー（５２）と、
前記コンソールケース（１４）の上に配備され、掘削機の電源のオン／オフの有無を転送されるとともに、第１のセンサー（３０）、第２のセンサー（３２）、ソレノイド（７０）、第１のコンソールセンサー（５０）及び第２のコンソールセンサー（５２）から信号を転送され、安全レバーモーター（１６）及びコンソールシリンダー（８４）を制御するように配備される制御部（５４）と、
を備えることを特徴とする掘削機用のコンソールボックス。
【請求項３】
掘削機の操作を図るように配備される掘削機用のコンソールボックスにおいて、
運転席に連結されて配備されるとともに、板状に形成され、一側には円筒状の係止棒（５６）が突設される固定部（１０）と、
前記固定部（１０）から離れた他側の上部に配備されるとともに、内側には収容可能な空間部が形成され、上部には掘削機の操作を図る操作レバー（１２）が配備され、下部の後方は固定部の上において軸回転可能に結合されるコンソールケース（１４）と、
前記コンソールケース（１４）の内側に配備されるとともに、回転力を与えるように配備される安全レバーモーター（１６）と、
前記安全レバーモーター（１６）と連結されて回転力を伝達されるモーターギヤ（１８）と、
前記モーターギヤ（１８）と連結されて回転力を伝達され、他側には外側に延びるレバーばね固定具（２０）が形成される安全レバーギヤ（２２）と、
前記安全レバーギヤ（２２）のレバーばね固定具（２０）及びコンソールケース（１４）に両端がそれぞれ結合固定されて張力を与えるレバーばね（２４）と、
前記安全レバーギヤ（２２）との軸上に連結されて配備され、円筒状に形成されるとともに、外周縁には内側に凹むカム溝（２６）が形成される安全レバーカム（２８）と、
前記安全レバーカム（２８）の外周縁に離れて一対が配備され、それぞれは安全レバーカム（２８）のカム溝（２６）を感知するように配備される第１のセンサー（３０）及び第２のセンサー（３２）と、
前記安全レバーカム（２８）と連結されて回動するように配備され、一側に延びるとともに、円筒状に形成される安全レバー連結軸（３４）と、
前記コンソールケース（１４）から離れた一側に把持可能なバー状に形成されて配備され、一端が安全レバー連結軸（３４）と軸連結されて配備される安全レバー（３６）と、
前記コンソールケース（１４）の操作レバー（１２）の後方に突出して把持可能に配備され、下部がコンソールケース（１４）の上部を貫通して延びるとともに、コンソールケースに軸結合されるコンソールレバー（５８）と、
前記コンソールレバー（５８）が延びた下部に前方に延設されるコンソールレバーバー（６０）と、
前記コンソールレバーバー（６０）の前方に蝶合されるとともに、下部に延びてコンソールケース（１４）の下部を貫通し、コンソールケース（１４）の内側の上に外側に突出する連結バー（６２）が形成される連結軸（６４）と、
前記コンソールケース（１４）の内側の下部に配備されるとともに、上部に延びる板状のソレノイド支持台（６６）と、
前記ソレノイド支持台（６６）に結合されて配備され、上部には上下に摺動するとともに、上部が連結バー（６２）と結合されるソレノイドバー（６８）が配備されるソレノイド（７０）と、
前記連結バー（６２）の下部に板状に形成されて内側の前方の下部が連結軸（６４）の下部に蝶合される固定板（７２）と、
前記コンソールケース（１４）の下部に板状に形成された上部が連結されて配備されるとともに、下部に延び、内側の前方が固定板（７２）の内側の後方の上部に蝶結される据え置き板（７４）と、
前記固定板（７２）の後方に板状に形成されて配備され、前方には固定板（７２）の後方が係止されるように凹む係止溝（７６）が形成され、後方には上下に離れてそれぞれ後方に延びるとともに、離れた内側に係止棒（５６）が係止される凹溝（７８）を有する延在部（８０）が形成され、内側は据え置き板（７４）の内側の後方の下部に蝶合される係止具（８２）と、
前記固定部（１０）の上に回転力を与えるように配備されるとともに、コンソールモーターギヤ（３８）を有するコンソールモーター（４０）と、
前記コンソールケース（１４）の下部の後方に扇形に形成されて配備され、外周縁にコンソールモーターギヤ（３８）に対応するようにギヤ歯が形成され、コンソールモーター（４０）の回転力をコンソールモーターギヤ（３８）を介して伝達されてコンソールケース（１４）が回転するように配備されるコンソールギヤ（４２）と、
前記コンソールケース（１４）の一側の下部の後方に円筒状に形成されて配備されるとともに、円筒状のコンソール軸（４４）により内側がコンソールケース（１４）に軸連結され、外周縁には内側に凹むコンソールカム溝（４６）が形成されるコンソールカム（４８）と、
前記コンソールカム（４８）の上部及び下部にそれぞれ離れて配備され、それぞれはコンソールカム（４８）のコンソールカム溝（４６）を感知するように配備される第１のコンソールセンサー（５０）及び第２のコンソールセンサー（５２）と、
前記コンソールケース（１４）の上に配備され、掘削機の電源のオン／オフの有無を転送されるとともに、第１のセンサー（３０）、第２のセンサー（３２）、ソレノイド（７０）、第１のコンソールセンサー（５０）及び第２のコンソールセンサー（５２）から信号を転送され、安全レバーモーター（１６）及びコンソールモーター（４０）を制御するように配備される制御部（５４）と、
を備えることを特徴とする掘削機用のコンソールボックス。
【請求項４】
掘削機の操作を図るように配備される掘削機用のコンソールボックスにおいて、
運転席に連結されて配備されるとともに、板状に形成される固定部（１０）と、
前記固定部（１０）から離れた他側の上部に配備されるとともに、内側には収容可能な空間部が形成され、上部には掘削機の操作を図る操作レバー（１２）が配備されるコンソールケース（１４）と、
前記コンソールケース（１４）の内側に配備されるとともに、回転力を与えるように配備される安全レバーモーター（１６）と、
前記安全レバーモーター（１６）と連結されて回転力を伝達されるモーターギヤ（１８）と、
前記モーターギヤ（１８）と連結されて回転力を伝達され、他側には外側に延びるレバーばね固定具（２０）が形成される安全レバーギヤ（２２）と、
前記安全レバーギヤ（２２）のレバーばね固定具（２０）及びコンソールケース（１４）に両端がそれぞれ結合固定されて張力を与えるレバーばね（２４）と、
前記安全レバーギヤ（２２）と軸上に連結されて配備され、円筒状に形成されるとともに、外周縁には内側に凹むカム溝（２６）が形成される安全レバーカム（２８）と、
前記安全レバーカム（２８）の外周縁に離れて一対が配備され、それぞれは安全レバーカム（２８）のカム溝（２６）を感知するように配備される第１のセンサー（３０）及び第２のセンサー（３２）と、
前記安全レバーカム（２８）と連結されて回動するように配備され、一側に延びるとともに、円筒状に形成される安全レバー連結軸（３４）と、
前記コンソールケース（１４）から離れた一側に把持可能なバー状に形成されて配備され、一端が安全レバー連結軸（３４）と軸連結されて配備される安全レバー（３６）と、
前記コンソールケース（１４）の下部に板状に形成されて離れて配備されるとともに、他側が延びて固定部（１０）に固定される摺動固定板（８６）と、
前記摺動固定板（８６）の上部に配備されるとともに、前後方に離れてそれぞれ上部に延びる一対の延長板（８８）と、
前記延長板（８８）の一対の間に円筒状に形成されて両側にそれぞれ離れて配備され、それぞれの前後方が延長板（８８）の上に固定される摺動ガイド棒（９０）と、
前記摺動ガイド棒（９０）の間に配備され、外周縁がスクリューから形成され、後方が延長板（８８）を貫通して後方に延びるとともに、延びた端部にはスクリューギヤ（９２）が配備され、前後方が延長板（８８）上において回転可能に配備される移動スクリュー（９４）と、
前記移動スクリュー（９４）の上部に板状に形成されて配備され、下部には一対が配備されてそれぞれ摺動ガイド棒（９０）上において摺動可能に形成される摺動棒（９６）が配備され、摺動棒（９６）の一対の間には移動スクリュー（９４）と結合されて移動スクリュー（９４）の回転につれて前後方に移動するスクリュー連結棒（９８）が形成される摺動板（１００）と、
前記摺動板（１００）の上部に下部が連結されて備配されるとともに、上部が延びてコンソールケース（１４）の下部に連結されるコンソール固定部（１０２）と、
前記摺動固定板（８６）の上部に一対が前後方に離れて配備されるとともに、摺動板（１００）の移動を感知するように配備される一対の摺動センサー（１０４）と、
前記摺動固定板（８６）の下部に配備されるとともに、回転力を与えるように配備され、後方には移動スクリュー（９４）のスクリューギヤ（９２）に対応するように形成されてスクリューギヤ（９２）に回転力を伝達するスクリューモーターギヤ（１０６）を有するスクリューモーター（１０８）と、
前記コンソールケース（１４）の上に配備され、掘削機の電源のオン／オフの有無を転送されるとともに、第１のセンサー（３０）、第２のセンサー（３２）及び摺動センサー（１０４）から信号を転送され、安全レバーモーター（１６）及びスクリューモーター（１０８）を制御するように配備される制御部（５４）と、
を備えることを特徴とする掘削機用のコンソールボックス。
【請求項５】
掘削機の操作を図るように配備される掘削機用のコンソールボックスにおいて、
運転席に連結されて配備されるとともに、板状に形成される固定部（１０）と、
前記固定部（１０）から離れた他側の上部に配備されるとともに、内側には収容可能な空間部が形成され、上部には掘削機の操作を図る操作レバー（１２）が配備されるコンソールケース（１４）と、
前記コンソールケース（１４）の内側に配備されるとともに、回転力を与えるように配備される安全レバーモーター（１６）と、
前記安全レバーモーター（１６）と連結されて回転力を伝達されるモーターギヤ（１８）と、
前記モーターギヤ（１８）と連結されて回転力を伝達され、他側には外側に延びるレバーばね固定具（２０）が形成される安全レバーギヤ（２２）と、
前記安全レバーギヤ（２２）のレバーばね固定具（２０）及びコンソールケース（１４）に両端がそれぞれ結合固定されて張力を与えるレバーばね（２４）と、
前記安全レバーギヤ（２２）と軸上に連結されて配備され、円筒状に形成されるとともに、外周縁には内側に凹むカム溝（２６）が形成される安全レバーカム（２８）と、
前記安全レバーカム（２８）の外周縁に離れて一対が配備され、それぞれは安全レバーカム（２８）のカム溝（２６）を感知するように配備される第１のセンサー（３０）及び第２のセンサー（３２）と、
前記安全レバーカム（２８）と連結されて回動するように配備され、一側に延びるとともに、円筒状に形成される安全レバー連結軸（３４）と、
前記コンソールケース（１４）から離れた一側に把持可能なバー状に形成されて配備され、一端が安全レバー連結軸（３４）と軸連結されて配備される安全レバー（３６）と、
前記コンソールケース（１４）の操作レバー（１２）の後方に突出して把持可能に配備され、下部がコンソールケース（１４）の上部を貫通して延びるとともに、コンソールケース（１４）に軸結合されるコンソールレバー（５８）と、
前記コンソールレバー（５８）が延びた下部に前方に延設されるコンソールレバーバー（６０）と、
前記コンソールレバーバー（６０）の前方に蝶合されるとともに、下部に延びてコンソールケース（１４）の下部を貫通する連結軸（６４）と、
前記コンソールケース（１４）の下部に板状に形成されて離れて配備されるとともに、他側が延びて固定部（１０）に固定される摺動固定板（８６）と、
前記摺動固定板（８６）の上部に配備されるとともに、前後方に離れてそれぞれ上部に延びる一対の延長板（８８）と、
前記延長板（８８）の一対の間に円筒状に形成されて両側にそれぞれ離れて配備され、それぞれの前後方が延長板（８８）の上に固定される一対の摺動ガイド棒（９０）と、
前記摺動ガイド棒（９０）のそれぞれの外周縁の上に配備され、張力を与える一対の摺動ばね（１１０）と、
前記摺動固定板（８６）の上部に板状に形成されて上部に延設され、摺動ガイド棒（９０）の間に配備される係止板（１１２）と、
前記摺動ガイド棒（９０）の上部に板状に形成されて配備され、下部には一対が配備されてそれぞれ摺動ガイド棒（９０）上において摺動可能に形成されるとともに、摺動ばね（１１０）が前方に位置する摺動棒（９６）が配備される摺動板（１００）と、
前記摺動板（１００）の上部に下部が連結されて備配されるとともに、上部が延びてコンソールケース（１４）の下部に連結されるコンソール固定部（１０２）と、
前記コンソール固定部（１０２）の上に配備されるとともに、上下に移動するソレノイドバー（６８）を有するソレノイド（７０）と、
前記コンソール固定部（１０２）の上に板状に形成されて配備されるとともに、後方がソレノイドバー（６８）に蝶合され、内側はコンソール固定部（１０２）の上に軸結合され、前方は連結軸（６４）の下部に蝶合され、前方から離れた下部には係止板（１１２）に係止可能に内側に凹む移動固定溝（１１４）を有する移動固定具（１１６）と、
前記摺動固定板（８６）の上部に一対が前後方に離れて配備されるとともに、摺動板（１００）の移動を感知するように配備される一対の摺動センサー（１０４）と、
前記コンソールケース（１４）の上に配備され、掘削機の電源のオン／オフの有無を転送されるとともに、第１のセンサー（３０）、第２のセンサー（３２）及び摺動センサー（１０４）から信号を転送され、安全レバーモーター（１６）及びソレノイド（７０）を制御するように配備される制御部（５４）と、
を備えることを特徴とする掘削機用のコンソールボックス。
【発明の詳細な説明】
【技術分野】
【０００１】
本発明は、掘削機用のコンソールボックスに係り、さらに詳しくは、簡単な構造に形成されて掘削機の電源のオン／オフ（電源の入／切）または別途の操作に従って掘削機の作動を図る操作レバーを作動させたり停止したりする安全レバーが自動的に作動または作動解除されて操作レバーの誤作動が防がれるようにするとともに、安全レバーを有するコンソールボックスが掘削機の電源のオン／オフまたは別途の操作に従って指定された角度または位置に自動的に移動して運転者が掘削機に容易に乗車または下車できるようにする掘削機用のコンソールボックスに関する。
【背景技術】
【０００２】
一般に、建設装備の運転席には、肘を置き、休ませる肘掛け（アームレスト）が設けられており、肘掛け付きコンソールボックスには、装備を操縦するためのジョイスティックである操作レバーが設けられている。
【０００３】
この種の従来のコンソールボックスは、その位置が固定されているため、運転者が建設装備の手狭い空間により運転席に乗り降りすることが困難であるだけではなく、建設装備のエンジンがかかっている場合には、運転者が運転席に乗り降りする最中にコンソールボックスに設けられた操作レバーに触れてしまい、これは、安全事故につながるなどの不具合があった。
【０００４】
上述したような不具合を解消するために、掘削機の運転席の制御部に形成された複数の調整レバーの一側に安全レバーを設けた調整レバーの安全装置において、前記調整レバーの下方に装着された駆動モーター、前記駆動モーターの軸の上に装着されたリールに巻線される引張り力を有するケーブル及び前記駆動モーターの駆動に際して伸縮可能に形成され、前記駆動モーターの駆動により所定の長さに伸びて運転席から運転者が離脱することを干渉し、前記駆動モーターの駆動に際して前記ケーブルがこの復元力により前記リールに巻き付けられることにより縮むアンテナタイプの安全レバーを備えてなることを特徴とする技術が、韓国登録実用新案公報第２０−０１５０１６１号でのように公知となっている。
【０００５】
しかしながら、上記の従来の技術は、単に運転者が運転席に乗り降りする最中に操作レバーに触れて安全事故が起きることを防ぐものに過ぎず、運転者が大きな体積を占めるコンソールボックスにより運転席に容易に乗り降りすることができないという不具合は依然として残っていた。
【０００６】
この理由から、上記のような従来の不具合を解消した掘削機用のコンソールボックスが求められているのが現状である。
【先行技術文献】
【特許文献】
【０００７】
【特許文献１】韓国登録実用新案公報第２０−０１５０１６１号
【発明の概要】
【発明が解決しようとする課題】
【０００８】
本発明は、上記のような従来の技術の不具合を解消するために案出されたものであり、その目的は、掘削機の電源のオン／オフまたは別途の操作に従って掘削機の作動を図る操作レバーを作動させたり停止したりする安全レバーが自動的に作動または作動解除されて操作レバーの誤作動が防がれるようにするとともに、安全レバーを有するコンソールボックスが掘削機の電源のオン／オフまたは別途の操作に従って指定された角度または位置に自動的に移動して運転者が掘削機に容易に乗車または下車できるようにする掘削機用のコンソールボックスを提供するところにある。
【課題を解決するための手段】
【０００９】
上記のような目的を達成するために、本発明は、掘削機の操作を図るように配備される掘削機用のコンソールボックスにおいて、運転席に連結されて配備されるとともに、板状に形成される固定部と、前記固定部から離れた他側の上部に配備されるとともに、内側には収容可能な空間部が形成され、上部には掘削機の操作を図る操作レバーが配備され、下部の後方は固定部の上において軸回転可能に結合されるコンソールケースと、前記コンソールケースの内側に配備されるとともに、回転力を与えるように配備される安全レバーモーターと、前記安全レバーモーターと連結されて回転力を伝達されるモーターギヤと、前記モーターギヤと連結されて回転力を伝達され、他側には外側に延びるレバーばね固定具が形成される安全レバーギヤと、前記安全レバーギヤのレバーばね固定具及びコンソールケースに両端がそれぞれ結合固定されて張力を与えるレバーばねと、前記安全レバーギヤと軸上に連結されて配備され、円筒状に形成されるとともに、外周縁には内側に凹むカム溝が形成される安全レバーカムと、前記安全レバーカムの外周縁に離れて一対が配備され、それぞれは安全レバーカムのカム溝を感知するように配備される第１のセンサー及び第２のセンサーと、前記安全レバーカムと連結されて回動するように配備され、一側に延びるとともに、円筒状に形成される安全レバー連結軸と、前記コンソールケースから離れた一側に把持可能なバー状に形成されて配備され、一端が安全レバー連結軸と軸連結されて配備される安全レバーと、前記固定部の上に回転力を与えるように配備されるとともに、コンソールモーターギヤを有するコンソールモーターと、前記コンソールケースの下部の後方に扇形に形成されて配備され、外周縁にコンソールモーターギヤに対応するようにギヤ歯が形成され、コンソールモーターの回転力をコンソールモーターギヤを介して伝達されてコンソールケースが回転するように配備されるコンソールギヤと、前記コンソールケースの一側の下部の後方に円筒状に形成されて配備されるとともに、円筒状のコンソール軸により内側がコンソールケースに軸連結され、外周縁には内側に凹むコンソールカム溝が形成されるコンソールカムと、前記コンソールカムの上部及び下部にそれぞれ離れて配備され、それぞれはコンソールカムのコンソールカム溝を感知するように配備される第１のコンソールセンサー及び第２のコンソールセンサーと、前記コンソールケースの上に配備され、掘削機の電源のオン／オフの有無を転送されるとともに、第１のセンサー、第２のセンサー、第１のコンソールセンサー及び第２のコンソールセンサーから信号を転送され、安全レバーモーター及びコンソールモーターを制御するように配備される制御部と、を備えることを特徴とする掘削機用のコンソールボックスを提供する。
【発明の効果】
【００１０】
このような構成を有する本発明による掘削機用のコンソールボックスは、掘削機の電源のオン／オフまたは制御部の制御により掘削機の作動を図る操作レバーを作動させたり停止したりする安全レバーが自動的に作動または作動解除されて操作レバーの誤作動が防がれるとともに、掘削機の電源のオン／オフまたは制御部の制御によりコンソールケースが指定された角度または位置に自動的に移動して運転者が掘削機に容易に乗車または下車することができるというメリットがあるものである。
【図面の簡単な説明】
【００１１】
【図１】本発明による掘削機用のコンソールボックスの概略断面図。
【図２】本発明による掘削機用のコンソールボックスの一部の概略図。
【図３】本発明による掘削機用のコンソールボックスの一部の概略図。
【図４】本発明による掘削機用のコンソールボックスの概略断面図。
【図５】本発明による掘削機用のコンソールボックスの概略断面図。
【図６】本発明による掘削機用のコンソールボックスの概略断面図。
【図７】本発明による掘削機用のコンソールボックスの概略断面図。
【図８】本発明による掘削機用のコンソールボックスの概略断面図。
【図９】本発明による掘削機用のコンソールボックスの概略断面図。
【図１０】本発明による掘削機用のコンソールボックスの概略斜視図。
【図１１】本発明による掘削機用のコンソールボックスの概略断面図。
【図１２】本発明による掘削機用のコンソールボックスの概略断面図。
【発明を実施するための形態】
【００１２】
以下、添付図面に基づいて、本発明の実施のための具体的な内容についてさらに詳しく説明する。
【００１３】
図１から図６を参照すると、本発明による掘削機用のコンソールボックスは、掘削機の操作を図るように配備される掘削機用のコンソールボックスにおいて、運転席に連結されて配備されるとともに、板状に形成される固定部１０と、前記固定部１０から離れた他側の上部に配備されるとともに、内側には収容可能な空間部が形成され、上部には掘削機の操作を図る操作レバー１２が配備され、下部の後方は、固定部１０の上において軸回転可能に結合されるコンソールケース１４と、前記コンソールケース１４の内側に配備されるとともに、回転力を与えるように配備される安全レバーモーター１６と、前記安全レバーモーター１６と連結されて回転力を伝達されるモーターギヤ１８と、前記モーターギヤ１８と連結されて回転力を伝達され、他側には外側に延びるレバーばね固定具２０が形成される安全レバーギヤ２２と、前記安全レバーギヤ２２のレバーばね固定具２０及びコンソールケース１４に両端がそれぞれ結合固定されて張力を与えるレバーばね２４と、前記安全レバーギヤ２２と軸上に連結されて配備され、円筒状に形成されるとともに、外周縁には内側に凹むカム溝２６が形成される安全レバーカム２８と、前記安全レバーカム２８の外周縁に離れて一対が配備され、それぞれは安全レバーカム２８のカム溝２６を感知するように配備される第１のセンサー３０及び第２のセンサー３２と、前記安全レバーカム２８と連結されて回動するように配備され、一側に延びるとともに、円筒状に形成される安全レバー連結軸３４と、前記コンソールケース１４から離れた一側に把持可能なバー状に形成されて配備され、一端が安全レバー連結軸３４と軸連結されて配備される安全レバー３６と、前記固定部１０の上に回転力を与えるように配備されるとともに、コンソールモーターギヤ３８を有するコンソールモーター４０と、前記コンソールケース１４の下部の後方に扇形に形成されて配備され、外周縁にコンソールモーターギヤ３８に対応するようにギヤ歯が形成され、コンソールモーター４０の回転力をコンソールモーターギヤ３８を介して伝達されてコンソールケース１４が回転するように配備されるコンソールギヤ４２と、前記コンソールケース１４の一側の下部の後方に円筒状に形成されて配備されるとともに、円筒状のコンソール軸４４により内側がコンソールケース１４に軸連結され、外周縁には内側に凹むコンソールカム溝４６が形成されるコンソールカム４８と、前記コンソールカム４８の上部及び下部にそれぞれ離れて配備され、それぞれはコンソールカム４８のコンソールカム溝４６を感知するように配備される第１のコンソールセンサー５０及び第２のコンソールセンサー５２と、前記コンソールケース１４の上に配備され、掘削機の電源のオン／オフの有無を転送されるとともに、第１のセンサー３０、第２のセンサー３２、第１のコンソールセンサー５０及び第２のコンソールセンサー５２から信号を転送され、安全レバーモーター１６及びコンソールモーター４０を制御するように配備される制御部５４と、を備える。
【００１４】
先ず、掘削機の操作を図るように配備される掘削機用のコンソールボックスにおいて、運転席に連結されて配備されるとともに、板状に形成される固定部１０が配備される。
【００１５】
このとき、前記固定部１０は、運転席に連結されて固定されるものであり、後述するコンソールケース１４を固定し易くするために配備されるものである。
【００１６】
前記固定部１０から離れた他側の上部に配備されるとともに、内側には収容可能な空間部が形成され、上部には掘削機の操作を図る操作レバー１２が配備され、下部の後方は固定部１０の上において軸回転可能に結合されるコンソールケース１４が配備される。
【００１７】
このとき、前記コンソールケース１４の上部に配備される操作レバー１２は、通常の掘削機の全般的な操作のために配備されるものであり、後述する安全レバー３６の操作により作動がオン／オフになる。
【００１８】
また、前記コンソールケース１４の下部の後方は、固定部１０の上において軸回転可能に結合されることにより、運転者が運転席に乗車したり下車したりするときに、コンソールケース１４が軸回転して空間が確保されて運転者が容易に運転席に乗車または下車できるように形成される。
【００１９】
前記コンソールケース１４の内側に配備されるとともに、回転力を与えるように配備される安全レバーモーター１６が配備される。
【００２０】
このとき、前記安全レバーモーター１６は、後述する安全レバー３６に回転力を与えるために配備されるものであり、安全レバーモーター１６は、掘削機の電源のオン／オフまたは制御部５４の操作により回転力を供給する。
【００２１】
前記安全レバーモーター１６と連結されて回転力を伝達されるモーターギヤ１８が配備される。
【００２２】
このとき、前記モーターギヤ１８は、外周縁の全体にわたってギヤ歯が形成されることが好ましいが、後述する安全レバー３６のマニュアル操作が行えるように、図１に示すように、モーターギヤ１８の外周縁の半分にギヤ歯が形成されなくても構わない。
【００２３】
一方、前記モーターギヤ１８が回転して外周縁にギヤ歯が形成されない部分が後述する安全レバーギヤ２２と向かい合うときには、安全レバー３６のマニュアル操作が行えるだけではなく、レバーばね２４により安全レバー３６の位置が操作した方向に固定される。
【００２４】
前記モーターギヤ１８と連結されて回転力を伝達され、他側には外側に延びるレバーばね固定具２０が形成される安全レバーギヤ２２が配備される。
【００２５】
また、前記安全レバーギヤ２２のレバーばね固定具２０及びコンソールケース１４に両端がそれぞれ結合固定されて張力を与えるレバーばね２４が配備される。
【００２６】
このとき、前記安全レバーギヤ２２は、モーターギヤ１８の回転力を伝達されて回転するものであり、レバーばね２４は、前述したように、モーターギヤ１８が回転して外周縁にギヤ歯が形成されない部分が安全レバーギヤ２２と向かい合うときに、安全レバー３６の位置が操作した方向に固定されるようにする役割を果たすものである。
【００２７】
前記安全レバーギヤ２２と軸上に連結されて配備され、円筒状に形成されるとともに、外周縁には内側に凹むカム溝２６が形成される安全レバーカム２８が配備される。
【００２８】
このとき、前記安全レバーカム２８にはカム溝２６が形成されて、後述する第１のセンサー３０及び第２のセンサー３２が安全レバーカム２８の回転を感知できるようにする役割を果たす。
【００２９】
前記安全レバーカム２８の外周縁に離れて一対が配備され、それぞれは安全レバーカム２８のカム溝２６を感知するように配備される第１のセンサー３０及び第２のセンサー３２が配備される。
【００３０】
このとき、前記第１のセンサー３０及び第２のセンサー３２としては、リミットスイッチが用いられ、第１のセンサー３０及び第２のセンサー３２により、後述する安全レバー３６の位置情報が後述する制御部５４及び掘削機の電子制御ユニット（ＥＣＵ：Ｅｌｅｃｔｒｏｎｉｃ  Ｃｏｎｔｒｏｌ  Ｕｎｉｔ）などに伝送されて操作レバー１２の作動をオン／オフにする。
【００３１】
前記安全レバーカム２８と連結されて回動するように配備され、一側に延びるとともに、円筒状に形成される安全レバー連結軸３４が配備される。
【００３２】
また、前記コンソールケース１４から離れた一側に把持可能なバー状に形成されて配備され、一端が安全レバー連結軸３４と軸連結されて配備される安全レバー３６が配備される。
【００３３】
このとき、前記安全レバー連結軸３４及び安全レバー３６は、安全レバーモーター１６の回転力を伝達されて回転するものであるが、ユーザーが人為的に安全レバー３６を操作して操作レバー１２の作動をオン／オフにしてもよい。
【００３４】
前記固定部１０の上に回転力を与えるように配備されるとともに、コンソールモーターギヤ３８を有するコンソールモーター４０が配備される。
【００３５】
このとき、前記コンソールモーター４０は、コンソールケース１４が固定部１０の上において軸回転して運転者が容易に運転席に着座または下車できるように空間を確保する役割を果たすものであり、後述する制御部５４の操作や安全レバー３６の操作によりコンソールモーター４０が回転力を供給してコンソールケース１４の位置を調節する。
【００３６】
前記コンソールケース１４の下部の後方に扇形に形成されて配備され、外周縁にコンソールモーターギヤ３８に対応するようにギヤ歯が形成され、コンソールモーター４０の回転力をコンソールモーターギヤ３８を介して伝達されてコンソールケース１４が回転するように配備されるコンソールギヤ４２が配備される。
【００３７】
前記コンソールケース１４の一側の下部の後方に円筒状に形成されて配備されるとともに、円筒状のコンソール軸４４により内側がコンソールケース１４に軸連結され、外周縁には内側に凹むコンソールカム溝４６が形成されるコンソールカム４８が配備される。
【００３８】
このとき、前記コンソールカム４８には内側に凹むコンソールカム溝４６が形成されることにより、後述する第１のコンソールセンサー５０及び第２のコンソールセンサー５２がコンソールカム４８の回転を円滑に感知することができるとともに、コンソールケース１４が回転する角度を容易に調節することができる。
【００３９】
前記コンソールカム４８の上部及び下部にそれぞれ離れて配備され、それぞれはコンソールカム４８のコンソールカム溝４６を感知するように配備される第１のコンソールセンサー５０及び第２のコンソールセンサー５２が配備される。
【００４０】
このとき、前記第１のコンソールセンサー５０及び第２のコンソールセンサー５２の信号は、後述する制御部５４及び掘削機の電子制御ユニット（ＥＣＵ）などに伝送される。
【００４１】
前記コンソールケース１４の上に配備され、図示しない掘削機の電子制御ユニット（ＥＣＵ）から掘削機の電源のオン／オフの有無を転送されるとともに、第１のセンサー３０、第２のセンサー３２、第１のコンソールセンサー５０及び第２のコンソールセンサー５２から信号を転送され、安全レバーモーター１６及びコンソールモーター４０を制御する制御部５４が配備される。
【００４２】
このとき、前記制御部５４の上には多数の操作ボタンが配備され、操作ボタンの操作により安全レバーモーター１６及びコンソールモーター４０の制御が行われる。
【００４３】
一方、図７及び図８を参照すると、本発明による掘削機用のコンソールボックスは、掘削機の操作を図るように配備される掘削機用のコンソールボックスにおいて、運転席に連結されて配備されるとともに、板状に形成され、一側には円筒状の係止棒５６が突設される固定部１０が配備される。
【００４４】
このとき、前記係止棒５６には、後述する係止具８２が係止され、係止棒５６及び係止具８２により、図９に示すように、コンソールケース１４が固定可能になる。
【００４５】
前記固定部１０から離れた他側の上部に配備されるとともに、内側には収容可能な空間部が形成され、上部には掘削機の操作を図る操作レバー１２が配備され、下部の後方は固定部１０の上において軸回転可能に結合されるコンソールケース１４が配備される。
【００４６】
このとき、前記コンソールケース１４の上部に配備される操作レバー１２は、通常の掘削機の全般的な操作のために配備されるものであり、後述する安全レバー３６の操作により作動がオン／オフになる。
【００４７】
また、前記コンソールケース１４の下部の後方は、固定部１０の上において軸回転可能に結合されることにより、運転者が運転席に乗車したり下車したりするときに、コンソールケース１４が軸回転することにより空間が確保されて、運転者が容易に運転席に乗車または下車できるように形成される。
【００４８】
前記コンソールケース１４の内側に配備されるとともに、回転力を与えるように配備される安全レバーモーター１６が配備され、安全レバーモーター１６と連結されて回転力を伝達されるモーターギヤ１８が配備され、モーターギヤ１８と連結されて回転力を伝達され、他側には外側に延びるレバーばね固定具２０が形成される安全レバーギヤ２２が配備され、安全レバーギヤ２２のレバーばね固定具２０及びコンソールケース１４に両端がそれぞれ結合固定されて張力を与えるレバーばね２４が配備され、安全レバーギヤ２２と軸上に連結されて配備され、円筒状に形成されるとともに、外周縁には内側に凹むカム溝２６が形成される安全レバーカム２８が配備され、安全レバーカム２８の外周縁に離れて一対が配備され、それぞれは安全レバーカム２８のカム溝２６を感知するように配備される第１のセンサー３０及び第２のセンサー３２が配備され、安全レバーカム２８と連結されて回動するように配備され、一側に延びるとともに、円筒状に形成される安全レバー連結軸３４が配備され、コンソールケース１４から離れた一側に把持可能なバー状に形成されて配備され、一端が安全レバー連結軸３４と軸連結される安全レバー３６が配備される。
【００４９】
このとき、前記安全レバーモーター１６、モーターギヤ１８、レバーばね固定具２０、安全レバーギヤ２２、レバーばね２４、カム溝２６、安全レバーカム２８、第１のセンサー３０、第２のセンサー３２、安全レバー連結軸３４及び安全レバー３６は、前述した通りであるため、詳細な説明を省略する。
【００５０】
前記コンソールケース１４の操作レバー１２の後方に突出して把持可能に配備され、下部がコンソールケース１４の上部を貫通して延びるとともに、コンソールケースに軸結合されるコンソールレバー５８が配備される。
【００５１】
このとき、前記コンソールレバー５８は、オペレーターが把持操作してコンソールケース１４が、図８に示すように、後述するコンソールシリンダー８４により回転するように形成されるものである。
【００５２】
前記コンソールレバー５８が延びた下部に前方に延設されるコンソールレバーバー６０が配備される。
【００５３】
さらに、前記コンソールレバーバー６０の前方に蝶合されるとともに、下部に延びてコンソールケース１４の下部を貫通し、コンソールケース１４の内側の上に外側に突出する連結バー６２が形成される連結軸６４が配備される。
【００５４】
このとき、前記コンソールレバーバー６０及び連結軸６４は、運転者のコンソールレバー５８の操作により連動するものである。
【００５５】
前記コンソールケース１４の内側の下部に配備されるとともに、上部に延びる板状のソレノイド支持台６６が配備される。
【００５６】
さらにまた、前記ソレノイド支持台６６に結合されて配備され、上部には上下に摺動するとともに、上部が連結バー６２と結合されるソレノイドバー６８が配備されるソレノイド７０が配備される。
【００５７】
このとき、前記ソレノイド７０は、後述する制御部５４の制御により連結軸６４の作動を防ぐ役割を果たすものである。
【００５８】
前記連結バー６２の下部に板状に形成されて内側の前方の下部が連結軸６４の下部に蝶合される固定板７２が配備される。
【００５９】
さらにまた、前記コンソールケース１４の下部に板状に形成された上部が連結されて配備されるとともに、下部に延び、内側の前方が固定板７２の内側の後方の上部に蝶結される据え置き板７４が配備される。
【００６０】
このとき、前記据え置き板７４は、固定板７２が回転可能に配備されるものであるとともに、後述する係止具８２もまた、図７及び図８に示すように、回転可能に配備されるものである。
【００６１】
前記固定板７２の後方に板状に形成されて配備され、前方には固定板７２の後方が係止されるように凹む係止溝７６が形成され、後方には上下に離れてそれぞれ後方に延びるとともに、離れた内側に係止棒５６が係止される凹溝７８を有する延在部８０が形成され、内側は据え置き板７４の内側の後方の下部に蝶合される係止具８２が配備される。
【００６２】
このとき、前記係止具８２の凹溝７８には係止棒５６が嵌まり込んでコンソールケース１４の回転が防がれ、コンソールケース１４の回転は、係止溝７６に係止された固定板７２が連結軸６４の移動に同期化して係止具８２の係止溝７６において係止が解除されることにより、コンソールケース１４が回転可能になる。
【００６３】
前記固定部１０の一側の後方に下部が蝶合されるとともに、上部がコンソールケース１４を貫通して延び、コンソールケース１４の内側の後方に上部が結合されるコンソールシリンダー８４が配備される。
【００６４】
このとき、前記コンソールシリンダー８４は、コンソールケース１４が上部に回転することを図るだけではなく、コンソールケース１４の下部に回転するときにいきなり回転することを防ぐ役割をも果たすものである。
【００６５】
前記コンソールケース１４の一側の下部の後方に円筒状に形成されて配備されるとともに、円筒状のコンソール軸４４により内側がコンソールケース１４に軸連結され、外周縁には内側に凹むコンソールカム溝４６が形成されるコンソールカム４８が配備される。
【００６６】
また、前記コンソールカム４８の上部及び下部にそれぞれ離れて配備され、それぞれはコンソールカム４８のコンソールカム溝４６を感知するように配備される第１のコンソールセンサー５０及び第２のコンソールセンサー５２が配備される。
【００６７】
このとき、前記コンソールカム４８には内側に凹むコンソールカム溝４６が形成されることにより、第１のコンソールセンサー５０及び第２のコンソールセンサー５２がコンソールカム４８の回転を円滑に感知することができるとともに、コンソールケース１４が回転する角度を容易に調節することができる。
【００６８】
さらに、前記第１のコンソールセンサー５０及び第２のコンソールセンサー５２の信号は、後述する制御部５４及び掘削機の電子制御ユニット（ＥＣＵ）などに伝送される。
【００６９】
前記コンソールケース１４の上に配備され、掘削機の電源のオン／オフの有無を転送されるとともに、第１のセンサー３０、第２のセンサー３２、ソレノイド７０、第１のコンソールセンサー５０及び第２のコンソールセンサー５２から信号を転送され、安全レバーモーター１６及びコンソールシリンダー８４を制御するように配備される制御部５４が配備される。
【００７０】
このとき、前記制御部５４の上には多数の操作ボタンが配備され、操作ボタンの操作により安全レバーモーター１６及びソレノイド７０の制御が行われる。
【００７１】
一方、図９を参照すると、本発明による掘削機用のコンソールボックスは、掘削機の操作を図るように配備される掘削機用のコンソールボックスにおいて、運転席に連結されて配備されるとともに、板状に形成され、一側には円筒状の係止棒５６が突設される固定部１０と、前記固定部１０から離れた他側の上部に配備されるとともに、内側には収容可能な空間部が形成され、上部には掘削機の操作を図る操作レバー１２が配備され、下部の後方は固定部の上において軸回転可能に結合されるコンソールケース１４と、前記コンソールケース１４の内側に配備されるとともに、回転力を与えるように配備される安全レバーモーター１６と、前記安全レバーモーター１６と連結されて回転力を伝達されるモーターギヤ１８と、前記モーターギヤ１８と連結されて回転力を伝達され、他側には外側に延びるレバーばね固定具２０が形成される安全レバーギヤ２２と、前記安全レバーギヤ２２のレバーばね固定具２０及びコンソールケース１４に両端がそれぞれ結合固定されて張力を与えるレバーばね２４と、前記安全レバーギヤ２２と軸上に連結されて配備され、円筒状に形成されるとともに、外周縁には内側に凹むカム溝２６が形成される安全レバーカム２８と、前記安全レバーカム２８の外周縁に離れて一対が配備され、それぞれは安全レバーカム２８のカム溝２６を感知するように配備される第１のセンサー３０及び第２のセンサー３２と、前記安全レバーカム２８と連結されて回動するように配備され、一側に延びるとともに、円筒状に形成される安全レバー連結軸３４と、前記コンソールケース１４から離れた一側に把持可能なバー状に形成されて配備され、一端が安全レバー連結軸３４と軸連結されて配備される安全レバー３６と、前記コンソールケース１４の操作レバー１２の後方に突出して把持可能に配備され、下部がコンソールケース１４の上部を貫通して延びるとともに、コンソールケースに軸結合されるコンソールレバー５８と、前記コンソールレバー５８が延びた下部に前方に延設されるコンソールレバーバー６０と、前記コンソールレバーバー６０の前方に蝶合されるとともに、下部に延びてコンソールケース１４の下部を貫通し、コンソールケース１４の内側の上に外側に突出する連結バー６２が形成される連結軸６４と、前記コンソールケース１４の内側の下部に配備されるとともに、上部に延びる板状のソレノイド支持台６６と、前記ソレノイド支持台６６に結合配備され、上部には上下に摺動するとともに、上部が連結バー６２と結合されるソレノイドバー６８が配備されるソレノイド７０と、前記連結バー６２の下部に板状に形成されて内側の前方の下部が連結軸６４の下部に蝶合される固定板７２と、前記コンソールケース１４の下部に板状に形成された上部が連結されて配備されるとともに、下部に延び、内側の前方が固定板７２の内側の後方の上部に蝶結される据え置き板７４と、前記固定板７２の後方に板状に形成されて配備され、前方には固定板７２の後方が係止されるように凹む係止溝７６が形成され、後方には上下に離れてそれぞれ後方に延びるとともに、離れた内側に係止棒５６が係止される凹溝７８を有する延在部８０が形成され、内側は据え置き板７４の内側の後方の下部に蝶合される係止具８２と、前記固定部１０の上に回転力を与えるように配備されるとともに、コンソールモーターギヤ３８を有するコンソールモーター４０と、前記コンソールケース１４の下部の後方に扇形に形成されて配備され、外周縁にコンソールモーターギヤ３８に対応するようにギヤ歯が形成され、コンソールモーター４０の回転力をコンソールモーターギヤ３８を介して伝達されてコンソールケース１４が回転するように配備されるコンソールギヤ４２と、前記コンソールケース１４の一側の下部の後方に円筒状に形成されて配備されるとともに、円筒状のコンソール軸４４により内側がコンソールケース１４に軸連結され、外周縁には内側に凹むコンソールカム溝４６が形成されるコンソールカム４８と、前記コンソールカム４８の上部及び下部にそれぞれ離れて配備され、それぞれはコンソールカム４８のコンソールカム溝４６を感知するように配備される第１のコンソールセンサー５０及び第２のコンソールセンサー５２と、前記コンソールケース１４の上に配備され、掘削機の電源のオン／オフの有無を転送されるとともに、第１のセンサー３０、第２のセンサー３２、ソレノイド７０、第１のコンソールセンサー５０及び第２のコンソールセンサー５２から信号を転送され、安全レバーモーター１６及びコンソールモーター４０を制御するように配備される制御部５４と、を備え、これについての説明は、前述した通りであるため、詳細な説明は省略する。
【００７２】
さらにまた、図１０を参照すると、本発明による掘削機用のコンソールボックスは、掘削機の操作を図るように配備される掘削機用のコンソールボックスにおいて、運転席に連結されて配備されるとともに、板状に形成される固定部１０と、前記固定部１０から離れた他側の上部に配備されるとともに、内側には収容可能な空間部が形成され、上部には掘削機の操作を図る操作レバー１２が配備されるコンソールケース１４と、前記コンソールケース１４の内側に配備されるとともに、回転力を与えるように配備される安全レバーモーター１６と、前記安全レバーモーター１６と連結されて回転力を伝達されるモーターギヤ１８と、前記モーターギヤ１８と連結されて回転力を伝達され、他側には外側に延びるレバーばね固定具２０が形成される安全レバーギヤ２２と、前記安全レバーギヤ２２のレバーばね固定具２０及びコンソールケース１４に両端がそれぞれ結合固定されて張力を与えるレバーばね２４と、前記安全レバーギヤ２２と軸上に連結されて配備され、円筒状に形成されるとともに、外周縁には内側に凹むカム溝２６が形成される安全レバーカム２８と、前記安全レバーカム２８の外周縁に離れて一対が配備され、それぞれは安全レバーカム２８のカム溝２６を感知するように配備される第１のセンサー３０及び第２のセンサー３２と、前記安全レバーカム２８と連結されて回動するように配備され、一側に延びるとともに、円筒状に形成される安全レバー連結軸３４と、前記コンソールケース１４から離れた一側に把持可能なバー状に形成されて配備され、一端が安全レバー連結軸３４と軸連結されて配備される安全レバー３６と、前記コンソールケース１４の下部に板状に形成されて離れて配備されるとともに、他側が延びて固定部１０に固定される摺動固定板８６と、前記摺動固定板８６の上部に配備されるとともに、前後方に離れてそれぞれ上部に延びる一対の延長板８８と、前記延長板８８の一対の間に円筒状に形成されて両側にそれぞれ離れて配備され、それぞれの前後方が延長板８８の上に固定される摺動ガイド棒９０と、前記摺動ガイド棒９０の間に配備され、外周縁がスクリューから形成され、後方が延長板８８を貫通して後方に延びるとともに、延びた端部にはスクリューギヤ９２が配備され、前後方が延長板８８上において回転可能に配備される移動スクリュー９４と、前記移動スクリュー９４の上部に板状に形成されて配備され、下部には一対が配備されてそれぞれ摺動ガイド棒９０の上において摺動可能に形成される摺動棒９６が配備され、摺動棒９６の一対の間には移動スクリュー９４と結合されて移動スクリュー９４の回転につれて前後方に移動するスクリュー連結棒９８が形成される摺動板１００と、前記摺動板１００の上部に下部が連結されるとともに、上部が延びてコンソールケース１４の下部に連結されるコンソール固定部１０２と、前記摺動固定板８６の上部において前後方に離れて一対配備されるとともに、摺動板１００の移動を感知するように配備される一対の摺動センサー１０４と、前記摺動固定板８６の下部に配備されるとともに、回転力を与えるように配備され、後方には移動スクリュー９４のスクリューギヤ９２に対応するように形成されてスクリューギヤ９２に回転力を伝達するスクリューモーターギヤ１０６を有するスクリューモーター１０８と、前記コンソールケース１４の上に配備され、掘削機の電源のオン／オフの有無を転送されるとともに、第１のセンサー３０、第２のセンサー３２及び摺動センサー１０４から信号を転送され、安全レバーモーター１６及びスクリューモーター１０８を制御するように配備される制御部５４と、を備える。
【００７３】
このとき、前記スクリューモーター１０８の回転によりコンソールケース１４が前後方に移動する。
【００７４】
また、図１１から図１２を参照すると、本発明による掘削機用のコンソールボックスは、掘削機の操作を図るように配備される掘削機用のコンソールボックスにおいて、運転席に連結されて配備されるとともに、板状に形成される固定部１０と、前記固定部１０から離れた他側の上部に配備されるとともに、内側には収容可能な空間部が形成され、上部には掘削機の操作を図る操作レバー１２が配備されるコンソールケース１４と、前記コンソールケース１４の内側に配備されるとともに、回転力を与えるように配備される安全レバーモーター１６と、前記安全レバーモーター１６と連結されて回転力を伝達されるモーターギヤ１８と、前記モーターギヤ１８と連結されて回転力を伝達され、他側には外側に延びるレバーばね固定具２０が形成される安全レバーギヤ２２と、前記安全レバーギヤ２２のレバーばね固定具２０及びコンソールケース１４に両端がそれぞれ結合固定されて張力を与えるレバーばね２４と、前記安全レバーギヤ２２と軸上に連結されて配備され、円筒状に形成されるとともに、外周縁には内側に凹むカム溝２６が形成される安全レバーカム２８と、前記安全レバーカム２８の外周縁に離れて一対が配備され、それぞれは安全レバーカム２８のカム溝２６を感知するように配備される第１のセンサー３０及び第２のセンサー３２と、前記安全レバーカム２８と連結されて回動するように配備され、一側に延びるとともに、円筒状に形成される安全レバー連結軸３４と、前記コンソールケース１４から離れた一側に把持可能なバー状に形成されて配備され、一端が安全レバー連結軸３４と軸連結されて配備される安全レバー３６と、前記コンソールケース１４の操作レバー１２の後方に突出して把持可能に配備され、下部がコンソールケース１４の上部を貫通して延びるとともに、コンソールケース１４に軸結合されるコンソールレバー５８と、前記コンソールレバー５８が延びた下部に前方に延設されるコンソールレバーバー６０と、前記コンソールレバーバー６０の前方に蝶合されるとともに、下部に延びてコンソールケース１４の下部を貫通する連結軸６４と、前記コンソールケース１４の下部に板状に形成されて離れて配備されるとともに、他側が延びて固定部１０に固定される摺動固定板８６と、前記摺動固定板８６の上部に配備されるとともに、前後方に離れてそれぞれ上部に延びる一対の延長板８８と、前記延長板８８の一対の間に円筒状に形成されて両側にそれぞれ離れて配備され、それぞれの前後方が延長板８８の上に固定される一対の摺動ガイド棒９０と、前記摺動ガイド棒９０のそれぞれの外周縁の上に配備され、張力を与える一対の摺動ばね１１０と、前記摺動固定板８６の上部に板状に形成されて上部に延設され、摺動ガイド棒９０の間に配備される係止板１１２と、前記摺動ガイド棒９０の上部に板状に形成されて配備され、下部には一対が配備されてそれぞれ摺動ガイド棒９０の上において摺動可能に形成されるとともに、摺動ばね１１０が前方に位置する摺動棒９６が配備される摺動板１００と、前記摺動板１００の上部に下部が連結されるとともに、上部が延びてコンソールケース１４の下部に連結されるコンソール固定部１０２と、前記コンソール固定部１０２の上に配備されるとともに、上下に移動するソレノイドバー６８を有するソレノイド７０と、前記コンソール固定部１０２の上に板状に形成されて配備されるとともに、後方がソレノイドバー６８に蝶合され、内側はコンソール固定部１０２の上に軸結合され、前方は連結軸６４の下部に蝶合され、前方から離れた下部には係止板１１２に係止可能に内側に凹む移動固定溝１１４を有する移動固定具１１６と、前記摺動固定板８６の上部において前後方に離れて一対配備されるとともに、摺動板１００の移動を感知するように配備される一対の摺動センサー１０４と、前記コンソールケース１４の上に配備され、掘削機の電源のオン／オフの有無を転送されるとともに、第１のセンサー３０、第２のセンサー３２及び摺動センサー１０４から信号を転送され、安全レバーモーター１６及びソレノイド７０を制御するように配備される制御部５４と、を備える。
【００７５】
このとき、前記コンソールケース１４は、摺動ばね１１０により後方に移動するものであり、コンソールケース１４が前方に移動するためには人手が必要であるが、シリンダーなどを用いてコンソールケース１４を前方に移動させても構わない。
【００７６】
このような構成を有する本発明による掘削機用のコンソールボックスは、掘削機の電源のオン／オフまたは制御部５４の制御により掘削機の作動を図る操作レバー１２を作動させたり停止したりする安全レバー３６が自動的に作動または作動解除されて操作レバー１２の誤作動が防がれるとともに、掘削機の電源のオン／オフまたは制御部５４の制御によりコンソールケース１４が指定された角度または位置に自動的に移動して運転者が掘削機に容易に乗車または下車することができるというメリットがあるものである。
【符号の説明】
【００７７】
１０    固定部
１２    操作レバー
１４    コンソールケース
１６    安全レバーモーター
１８    モーターギヤ
２０    レバーばね固定具
２２    安全レバーギヤ
２４    レバーばね
２６    カム溝
２８    安全レバーカム
３０    第１のセンサー
３２    第２のセンサー
３４    安全レバー連結軸
３６    安全レバー
３８    コンソールモーターギヤ
４０    コンソールモーター
４２    コンソールギヤ
４４    コンソール軸
４６    コンソールカム溝
４８    コンソールカム
５０    第１のコンソールセンサー
５２    第２のコンソールセンサー
５４    制御部
５６    係止棒
５８    コンソールレバー
６０    コンソールレバーバー
６２    連結バー
６４    連結軸
６６    ソレノイド支持台
６８    ソレノイドバー
７０    ソレノイド
７２    固定板
７４    据え置き板
７６    係止溝
７８    凹溝
８０    延在部
８２    係止具
８４    コンソールシリンダー
８６    摺動固定板
８８    延長板
９０    摺動ガイド棒
９２    スクリューギヤ
９４    移動スクリュー
９６    摺動棒
９８    スクリュー連結棒
１００  摺動板
１０２  コンソール固定部
１０４  摺動センサー
１０６  スクリューモーターギヤ
１０８  スクリューモーター
１１０  摺動ばね
１１２  係止板
１１４  移動固定溝
１１６  移動固定具
【図１】
0006857706.tif 000002
【図２】
0006857706.tif 000003
【図３】
0006857706.tif 000004
【図４】
0006857706.tif 000005
【図５】
0006857706.tif 000006
【図６】
0006857706.tif 000007
【図７】
0006857706.tif 000008
【図８】
0006857706.tif 000009
【図９】
0006857706.tif 000010
【図１０】
0006857706.tif 000011
【図１１】
0006857706.tif 000012
【図１２】
0006857706.tif 000013